(57)【要約】      （修正有）【課題】夜間無電力で発光する蓄光剤を用いた表示パネルにおいて、レッド、オレンジ、イエロー、ピンク等の発色で夜間長時間発光する演色性、意匠性に富んだ表示パネルを提供する。【解決手段】蓄光剤層１の励起光により蛍光プレート３中の蛍光物質を励起させ、この励起光により出射層７の蛍光剤を励起させ、昼間、夜間においても鮮やかなカラー発光を実現させる。【選択図】図４
2014134751.tif 000002
【特許請求の範囲】
【発明の詳細な説明】
【技術分野】
【０００１】本発明は、近年開発された夜間無電力で発光する、高輝度・長残光に優れたアルカリ土類金属のアルミン酸塩を基剤として暗闇中で、グリーン発光、ブルー発光、ブルー・グリーン発光する蓄光剤を使用した蓄光プレートとレッド、ピンク、オレンジ、グリーン、イエロー、ブルー等の透明カラー蛍光プレート、同じくレッド、ピンク、オレンジ、イエロー、グリーン、ブルー等のカラー蛍光出射層を積層して構成するカラー発光表示パネルであって、【０００２】昼間にあっては、出射層として設けたカラー蛍光層が自然光、照明光、蓄光励起光、蛍光励起光の合算光により励起され輝度・彩度を増加して鮮やかによりはっきり視認でき、或いは透明カラー蛍光プレートのフィルター効果による減色、混色、加色により色彩が異なって見え、【０００３】夜間の暗闇中にあっては蓄光励起光、透明カラー蛍光板内の蛍光励起光によりカラー蛍光出射層が励起され鮮やかな多色カラー発光を視認できる昼夜両用のカラー発光表示パネルの発明に関する。
【背景技術】
【０００４】
【特許文献１】特開平９−２８８４６２号公報
【特許文献２】特開２００１−３０４６公報
【特許文献３】特願２０１１−２３９５８５
【０００５】特許文献１によれば請求項６と段落００１０に蓄光性塗料との組み合わせの記述がある。
しかし請求項６は外部光の明暗に対応した願発明にも拘わらず、夜間や暗闇での視認改善効果を追求していない。また蓄光剤の発光による蛍光発色は別に蛍光発色反射板を設けなくてはならないので、昼間における効果の願発明である。【０００６】特許文献２の実施例にある誘導方向矢印板は、内側中央の集光性蛍光板が赤、黄、オレンジ又はむらさきの色で矢印枠状に発光し、２色で夜間の誘導方向を発光で鮮やかに表示するものであるがプレートの縁から励起した散乱光を取り出し発色を視認する構造であるため集光性蛍光板の多色発光に関する願発明ではない。【０００７】  特許文献３によれば出射層には白を用いる場合が一番輝度が高く僅かに着色することにより彩度が増加して、カラー蛍光板とのコントラストが高まる。彩度の高い着色は輝度を落とし、発光効果を損ない多色化の妨げとなる。
【発明の開示】
【発明が解決しようとする課題】
【０００７】特許文献３によればレッド、オレンジ、イエロー、グリーン等の発色を得ることが可能なものの、レッド、ピンクの発色についてはそれぞれレッド、ピンクの透明カラー蛍光板を使用するため、昼間時のコントラストに欠ける傾向があった。またフィルター効果による減色効果のみなので暗闇に於ける多色カラーの発光視認が難しかった。
【課題を解決するための手段】
【０００８】上記した課題を解決するため、請求項１、２，３，４に於いては、カラー蛍光出射層（図１、図２、図３、図４の符号７）としてカラー蛍光ペイント、カラー蛍光紙による文字、図柄、ピクトグラム等を設定し、【０００９】暗闇においては、昼間、透明カラー蛍光プレートを透過した自然光、照明光により励起された蓄光剤（図１、図２、図３、図４の符号１）が発光し、蓄光剤の励起光を受光してカラー透明蛍光板の内部で励起されたそれぞれのカラー蛍光発色により、出射層として設けた蛍光カラー反射層をなす文字、図柄、ピクトグラム等を励起し、おもて面より鮮やかに発色を視覚により認識できる構造を考案した。【００１０】ここで蓄光剤をクリアラッカーで混練したスラリーを塗布した板の代わりに蓄光剤を含有する蓄光シート、蓄光樹脂、蓄光紙、蓄光人造大理石、蓄光タイル、蓄光磁器、蓄光布等も使用できる。【００１１】また透明カラー蛍光板としては透明度（全光線透過率５０パーセント以上が望ましい）が高く導光作用の高いアクリル系の蛍光板、集光板を使用することが望ましいが、透明度のやや落ちるポリカーボネート、ポリプロピレン、ポリエチレン、塩化ビニール、シリコン等の樹脂の使用も可能である。【００１２】また出射層をなす蛍光カラー層は蛍光ペイント、蛍光紙の他、布、フェルト等に蛍光サインマーカーで着色したものを用いても良い。
【発明の効果】
【００１３】本願発明にあたり各種の組み合わせによる試験、測定を行った。試験材料と測定結果を以下に記す。
材料
１．透明ピンク蛍光プレート  メーカー  住友化学  型番４５１  サイズ１６０×６０×３ミリ  全光線透過率８５％
２．透明オレンジ蛍光プレート  メーカー  カナセ工業  型番９０８９Ｌ  サイズ１６０×６０×３ミリ  全光線透過率７８．７％
３．蓄光材サイズ  ５６×１５６×２ミリ  ネモト・ルミマテリアル社製Ｇ−３００Ｌ１６０
グリーン発光          ピーク粒子径１５０ミクロン
５６×１５６×２ミリ  イージーブライト社製ＥＺＣＡＢ１５０
ブルーグリーン発光    ピーク粒子径１５０ミクロン
４．カラー蛍光ペイント：ボニーコーポレーション、ターナー等
５．蛍光紙＊一般的なホームセンターで販売している物【００１４】  上記１、３、４、５或いは２、３、４，５の組み合わせにより図１、図２、図３、図４のごとく積層のパネルを作成し、レッド、ピンク、オレンジ、イエロー、グリーン、ブルーの発光を実現して分光光度計により色度を測定した。【００１５】ＸＹＺ表色系色度座標は
１．の資料で発光直後鮮やかなピンク色  ｘ０．５０７５  ｙ０．２８１２  を得た。
２．の資料で発光直後鮮やかなオレンジ色  ｘ０．５２０９  ｙ０．４１４１  を得た。
２．の資料で発光直後鮮やかなイエロー色  ｘ０．４０３８  ｙ０．４８１２  を得た。【００１６】また、カラー発色は暗箱中で約４時間以上という長時間の発色を視認することができた。【００１７】また、カラー発色は蓄光剤発色がグリーン系、ブルーグリーン系ともにほぼ同じ励起色が測定でき、出射面以外の蓄光剤発光部分はカラー透明板のフィルター効果により、グリーン発光ではイエローグリーンに見え、ブルーグリーン系では紫の強い色として視認できた。【００１８】また、蓄光紙を反射層として使用した場合には紙の透過率が高いため、蓄光剤の発光が数分後にクリアーの導光作用により浸透してくると、紙の隠蔽部、下部の明度を透かして明るく見える現象を得た。
【発明を実施するための最良の形態】
【実施例１】
【００１９】  図４に示すようにピーク粒子径１５０ミクロンの蓄光顔料とアクリルラッカーを体積比約１対３に混練してなしたスラリーを塗布した蓄光プレート符号１に透明カラー蛍光プレート符号３を積層し蓄光プレートに対向する面に反射層符号７として凹面、彫刻溝により文字、図柄、ピクトグラム等を設けカラー蛍光ペイントにより着色する。【００２０】昼間に於いては、自然光、照明光、蓄光剤発光により透明カラー蛍光板中の蛍光剤が励起されその散乱光は全反射を繰り返し板端面へ導かれ反射層により全反射され透明カラー蛍光プレート中の全発光が集光・濃密化され、蓄光剤に対向する面に設けられた蛍光カラー反射面を励起・染色し出射する。文字、図柄、ピクトグラム等を透明カラー蛍光プレート上面より鮮やかなカラーとして視覚により認識できる昼夜両用カラー発光標識となる。【００２１】夜間に於いては、昼間の自然光、照明光を受けて励起した蓄光剤発光により透明カラー蛍光板中の蛍光剤が励起され昼間時と同じメカニズムにより出射する。夜間に於いては文字、図柄面、ピクトグラム等を染色しない蓄光剤発光は透明カラー蛍光プレートがスペクトルフィルターの役割を果たすので、蓄光剤発光色との混色として、上面より視覚により認識され文字部とのコントラストが演出される。【００２２】蓄光剤発光部図４の符号１の残光輝度は蛍光剤を励起するに十分な残光輝度を長時間保持しなければならない。一般に蓄光剤顔料は粒度が大きい方が輝度、残光時間も長いと云われており市販の蓄光剤の内ピーク粒度１５０ミクロンのものを選択した。この蓄光剤顔料粉末とアクリルラッカーを体積比約１対３に混練してスラリーとなし塗布・乾燥して蓄光板とした。【００２３】また輝度は蓄光層が厚い方が高いと言われており本願発明では蓄光剤層厚み２ミリを確保出来るよう縦５６×横１５６×深さ２ミリの凹面を作成しスラリーを流しこんだ。スラリーは表面張力により、凹溝より僅かに盛り上がるよう塗布すると乾燥後の厚さが均一になり発光面も均一になる。公設機関による輝度測定ではイージーブライト社製ＢＺＣＡＢ１５０は発光１分後９５０ミリカンデラ、６０分後７０ミリカンデラ、１２０分後３０ミリカンデラ、１８０分後２０ミリカンデラ、３００分後１２．２ミリカンデラ、４２０分後８．２ミリカンデラ、６００分後５．４ミリカンデラであった。
ネモト・ルミマテリアル社製Ｇ−３００Ｌ１６０は２分後２４９０ｍｃｄ／ｍ２、３０分後２５７ｍｃｄ／ｍ２、６０分後１１６ｍｃｄ／ｍ２、３００分後１４．９ミリカンデラ、６００分後６ミリカンデラの残光輝度が記載されており、目視による４時間後、１０時間後の残光輝度比較に関して、彩度の違いが多少観察されるが、大きな差違は観察されなかった。【００２４】ネモト・ルミマテリアル社のカタログによると更に大きな粒径の蓄光剤があり、初期輝度も高いので、活用出来る。【００２５】また透明カラー蛍光プレートは大きい物の方が発色が鮮やかであると言われており、本願発明にあたり２２６×１１１×深さ２ミリの蓄光板を製作し透明カラー蛍光プレートを請求項１、２、３、４に基づいて積層したカラー発光体を製作し目視による比較を行ったが明らかな彩度・輝度向上が見られた。【００２６】ここで蓄光剤顔料とクリアーラッカーの混合比はクリアーラッカー比が少ないと延びの良い良好なスラリーを得られず、細部へ行きわたらない、良好な平面が得られないと言う不具合がある。
混合比が大きいと蓄光剤の大きな比重約３．６のため乾燥固化する前に沈殿・分離を起こしてしまい、また乾燥までの時間も増え、施工上の手間が増える。【００２７】透明カラー蛍光プレートとして
１．透明ピンク蛍光プレート  メーカー  住友化学  型番４５１  サイズ２２６×１１１×３ミリ  全光線透過率８５％
２．透明オレンジ蛍光プレート  メーカー  カナセ工業  型番９０８９Ｌ  サイズ２２６×１１１×３ミリ  全光線透過率７８．７％
３．透明グリーン蛍光プレート  メーカー  三菱レイヨン  型番９９３  サイズ２２６×１１１×３ミリ  全光線透過率９２％
を使用して実験を行った。
【実施例２】
【００２８】請求項１にある実施例１の仕様によるカラー発光表示パネル。
【実施例３】
【００２９】請求項２にある実施例１の仕様によるカラー発光表示パネル。
【実施例４】
【００３０】請求項３にある実施例１の仕様によるカラー発光表示パネル。
【産業上の利用可能性】
【００３１】倉庫、イベント会場、駐車場での消灯時の利用者方向指示などの便益、補助。【００３２】「節電販売中」「災害時この販売機内の飲料は無料開放されます」などの緊急時用表示。【００３３】風力発電用羽根の先端に取り付け、自然界での回転物の航路軌跡の表示を行い、動物、鳥の衝突を防止するなどして機械の損傷や稼働効率を上げる。【００３４】プラント類の目で見て直ぐ分かる配管分別に。配線工事の場合の工具添付により、天井裏での作業が容易になる。農機具、納屋内での早朝夜明前の準備作業補助になどの産業状の利用が見込める。
【図面の簡単な説明】
【００３５】
【図１】被表示部に蛍光ペイント塗装を施したカラー発光表示パネルの断面図
【図２】図１の蓄光層の周囲４隅の出射面をエナメルラッカー白又は白カッティングシートの反射層で覆ったカラー発光表示パネルの断面図
【図３】図２の透明カラー蛍光プレートの周囲４隅の出射面をエナメルラッカー白又は白カッティングシートの反射層で覆ったカラー発光表示パネルの断面図
【図４】図３の符号７を凹、彫刻凹溝として、蛍光カラーペイント塗布或いは蛍光紙等を粘着して出射面としたカラー発光表示パネルの断面図
【符号の説明】
【００３６】１．蓄光剤層
２．反射層
３．透明カラー蛍光プレート
４．反射層
５．凹、彫刻溝
６．反射層
７．カラー蛍光出射層
【図１】
2014134751.tif 000003
【図２】
2014134751.tif 000004
【図３】
2014134751.tif 000005
【図４】
2014134751.tif 000006
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
アルカリ土類金属のアルミン酸塩を基剤とした蓄光剤を塗布したプレートと透明カラー蛍光プレートを重ね合わせ、蓄光剤に対向する透明カラー蛍光プレート面に、密着した出射層を設けおもて面より視覚によりカラー認識できる積層表示パネル。
【請求項２】
請求項１の透明カラー蛍光プレートの四隅外周部に反射層を設けた積層表示パネル。
【請求項３】
請求項１、請求項２の出射層を、彫刻溝で成形し溝部へ塗料をいれた積層表示パネル。